(57)【要約】      （修正有）【課題】石けんへの湯水の降り掛かりを防ぎ、かつ不使用時の石けんの乾燥を早める石けん吊り具を提供する。【解決手段】石けん吊り具１０１は、網袋１と、紐体３と、カバー体５とを有する。網袋は、石けん９を収納し、石けんの出し入れを可能にする出し入れ口を上端に有する。紐体は、網袋を吊り下げ、網袋の出し入れ口を搾りかつ緩めることが可能なように、出し入れ口の縁部に通される。カバー体は、孔１３を有し孔に紐体が通され、網袋の上に網袋と共に吊り下げられる。カバー体は、孔を中心とする同心円状に凹部と凸部が交互に配列された蛇腹状部を有する柔軟な樹脂製のシートであり、網袋の少なくとも大半部が隠れるように網袋を覆う逆立ちカップ状に伸張させることも、網袋を笠のように覆う円盤状に縮退させることも可能である。【選択図】図１
0003204908.tif 000002
【実用新案登録請求の範囲】
【請求項１】
石けんを収納するための網袋であって、前記石けんの出し入れを可能にする出し入れ口を有する網袋と、
前記網袋を吊り下げる紐体と、
第１の孔を有し当該第１の孔に前記紐体が通されることにより、前記網袋の上に位置するように前記網袋と共に前記紐体に吊り下げられる遮水性のカバー体と、を備え、
前記カバー体は、前記第１の孔を中心とする同心形状に凹部と凸部が交互に配列する蛇腹状部が形成されたシート状体を含み、それにより、前記網袋の少なくとも大半部が隠れるように前記網袋を覆う逆立ちカップ状に伸張させることも、前記網袋を笠のように覆う盤状に縮退させることも可能であり、かつ前記伸張した状態及び前記縮退した状態を保持する、石けん吊り具。
【請求項２】
第２の孔を有し、前記カバー体の上に載るように、当該第２の孔に前記紐体が通された装飾体を、さらに備える請求項１に記載の石けん吊り具。
【請求項３】
前記第２の孔は、少なくとも一部において、前記紐体に密着する大きさの孔径を有する、請求項２に記載の石けん吊り具。
【請求項４】
前記網袋は、前記出し入れ口を上端に有し、
前記紐体は、前記網袋の前記出し入れ口を搾りかつ緩めることが可能なように、前記出し入れ口の縁部に通されている、請求項１から３のいずれかに記載の石けん吊り具。
【請求項５】
前記同心形状は同心円状である、請求項１から４のいずれかに記載の石けん吊り具。
【考案の詳細な説明】
【技術分野】
【０００１】
本考案は、石けんを浴室の壁などに吊り下げて使用に供するための石けん吊り具に関する。
【背景技術】
【０００２】
従来、この種の石けん吊り具として、特許文献１に記載されるものが知られている。この従来技術は、石けんに降り掛かる水を遮るために、石けんを吊す網袋を覆うカバーを有している。カバーは、下端が開いた筒状をなしている。この従来技術は、それによって、石けんがべとつくという問題を解消しようとしている。カバーは、網袋を吊す吊りひもに沿って上下にスライド可能であり、石けんを使用するときにはカバーを上げることによって、石けんに手を触れることを可能にし、使用しないときには下げた状態に保つことによって、石けんへの湯水の降り掛かりを防いでいる。
【０００３】
しかし、この従来の石けん吊り具では、石けんを使用しないときには、カバーは常に下げられた状態に保たれることとなるため、使用によって濡れた石けんの乾燥に時間を要し、その結果、石けんのべとつきが十分には解消されない、という問題点があった。特に、高級石けんについては、石けんのべとつきは、高級感を損なうと共に、高価な石けんが無駄に消耗する原因となり、経済的損失も軽視できない。
【先行技術文献】
【特許文献】
【０００４】
【特許文献１】実開平０４−３２１９２号公報
【考案の概要】
【考案が解決しようとする課題】
【０００５】
本考案は上記の問題点に鑑みてなされたもので、石けんへの湯水（湯又は水）の降り掛かりを防ぐとともに、使用しないときの石けんの乾燥を早めることのできる石けん吊り具を提供することを目的とする。
【課題を解決するための手段】
【０００６】
上記課題を解決し上記目的を達成するために、本考案のうち第１の態様によるものは、石けん吊り具であって、網袋と、紐体と、カバー体と、を備えている。網袋は、石けんを収納するためのものであって、前記石けんの出し入れを可能にする出し入れ口を有する。紐体は、前記網袋を吊り下げるものである。カバー体は、遮水性であり、第１の孔を有し当該第１の孔に前記紐体が通されることにより、前記網袋の上に位置するように前記網袋と共に前記紐体に吊り下げられる。また、前記カバー体は、前記第１の孔を中心とする同心形状に凹部と凸部が交互に配列する蛇腹状部が形成されたシート状体を含んでおり、それにより、前記網袋の少なくとも大半部が隠れるように前記網袋を覆う逆立ちカップ状に伸張させることも、前記網袋を笠のように覆う盤状に縮退させることも可能であり、かつ前記伸張した状態及び前記縮退した状態を保持する。
【０００７】
この構成による石けん吊り具は、網袋の中に石けんを入れ、紐体の上端部を例えば浴室の壁面等に留めることにより、使用に供することができる。石けんを使用するときには、手操作によりカバー体を盤状にすることにより、石けんの入った網袋を露出させることができる。石けんの使用が終わると、同じく手操作によりカバー体をカップ状にすることにより、浴室等の使用中に湯水が網袋及び石けんに降り掛かるのを防ぐことができる。浴室等の使用が終わり、湯水が降り掛かるおそれがなくなった後には、再びカバー体を盤状とすることにより、網袋を露出させ、網袋及び石けんの乾燥を早めることができる。
【０００８】
本考案のうち第２の態様によるものは、第１の態様による石けん吊り具であって、第２の孔を有し、前記カバー体の上に載るように、当該第２の孔に前記紐体が通された装飾体を、さらに備える。
【０００９】
この構成によれば、カバー体の孔（第１の孔）から紐体が出ている様子が、装飾体によって隠れるので、美観が向上する。また、カバー体の孔が装飾体によって隠れるので、湯水がカバー体の孔を通過することにより網袋及び石けんを濡らすことを、低減ないし解消することができる。
【００１０】
本考案のうち第３の態様によるものは、第２の態様による石けん吊り具であって、前記第２の孔は、少なくとも一部において、前記紐体に密着する大きさの孔径を有している。
【００１１】
この構成によれば、湯水が装飾体の孔（第２の孔）を通過し、さらにカバー体の孔（第１の孔）を通過することにより、網袋及び石けんを濡らすことを効果的に抑えることができる。
【００１２】
本考案のうち第４の態様によるものは、第１から第３のいずれかの態様による石けん吊り具であって、前記網袋は、前記出し入れ口を上端に有し、前記紐体は、前記網袋の前記出し入れ口を搾りかつ緩めることが可能なように、前記出し入れ口の縁部に通されている。
【００１３】
この構成によれば、網袋に対し紐体を引っ張ることにより、網袋の出し入れ口を絞ることができ、出し入れ口の縁部を指で摘むなどにより出し入れ口を拡げることもできる。すなわち、出し入れ口の開閉が可能であり、かつ容易である。
【００１４】
本考案のうち第５の態様によるものは、第１から第４のいずれかの態様による石けん吊り具であって、前記同心形状は同心円状である。
【００１５】
この構成によれば、カバー体の伸縮が、より円滑に行い得る。
【考案の効果】
【００１６】
以上のように本考案によれば、石けんへの湯水の降り掛かりを防ぐとともに、使用しないときの石けんの乾燥を早めることのできる石けん吊り具が実現する。
【図面の簡単な説明】
【００１７】
【図１】本考案の一実施の形態による石けん吊り具の、カバー体を伸張させたときの一部切断正面図である。
【図２】図１の石けん吊り具の、カバー体を伸張させたときの外観を示しており、（ａ）は石けん吊り具の斜視写真、（ｂ）はカバー体の上面図、（ｃ）はカバー体の上部の斜視図である。
【図３】図１の石けん吊り具の、カバー体を縮退させたときの一部切断斜視図である。
【図４】図１の石けん吊り具の、カバー体を縮退させたときの斜視写真である。
【図５】図１の石けん吊り具の、網袋と紐体の接続部分の一例を示す斜視図である。
【図６】図１の石けん吊り具の、網袋と紐体の接続部分の別の一例を示す斜視図である。
【考案を実施するための形態】
【００１８】
図１は、本考案の一実施の形態による石けん吊り具の一部切断正面図である。また、図２は同石けん吊り具の外観を示しており、（ａ）は石けん吊り具の斜視写真、（ｂ）は一部の上面図、（ｃ）は一部の斜視図である。図３及び図４はそれぞれ、同石けん吊り具の一部切断斜視図及び斜視写真である。この石けん吊り具１０１は、網袋１、紐体３、カバー体５、及び装飾体７を有している。カバー体５は伸縮可能であり、図１及び図２は、カバー体５を伸張させたときの図又は写真であり、一方、図３及び図４はカバー体５を縮退させたときの図又は写真である。網袋１は、石けん９を入れて使用に供するためのものである。図５又は図６に例示するように、網袋１の上端は、石けん９を出し入れ可能なように開口している。出し入れ口１０の縁部をなす上端縁１１は、例えば筒状になっており、この筒状の上端縁１１の中に、紐体３が挿通されている。網袋１の上端縁１１から外に延びる紐体３は、図５の例では２本であり、図６の例では１本である。出し入れ口１０は、指などにより拡げることができ、紐体３を網袋１に対して引き上げることにより、絞って閉じることも可能となっている。網袋１及び紐体３は、例えば化学繊維、木綿等を材料とする。網袋１の上端縁１１は、網状である代わりに、布状であってもよい。このように網袋１は、一部が網状ではなくとも、石けんを入れて使用するのに支障はなく、このような形態のものも、本考案では「網袋」と称する。
【００１９】
図１〜図４に示すように、紐体３は、網袋１の他に、カバー体５及び装飾体７を挿通している。それにより、下から網袋１、カバー体５、及び装飾体７の順に、これらが紐体３に吊り下げられる。図２（ａ）の写真では、カバー体５の上面を示すために、装飾体７は便宜的に除去している。カバー体５は、伸縮可能なように、紐体３が挿通される貫通孔１３を中心とする同心円状に、凹部と凸部が波形に反復する蛇腹状部１５を有している（図３参照）。貫通孔１３は、円形の孔であってもよく、簡便に十字形の切り込みであってもよく、その他の形状であってもよい。図２（ａ）の写真では、貫通孔１３は十字形の切り込みとして形成されている。また、図２（ｂ）及び図２（ｃ）は、十字形の切り込みとして形成された貫通孔１３を、より詳細に例示している。十字形の切り込みであっても、紐体３が挿通されると、切り込みの周囲の４個の三角状の領域がめくれ上がり、貫通孔を形成することとなる。従って、本考案においては、図２（ａ）〜（ｃ）に例示される十字形などの切り込みも、貫通孔あるいは孔と称する。
【００２０】
カバー体５は、一例として、シリコーン樹脂などの適度な柔軟性と弾性とを有する樹脂を材料とする２ｍｍ程度の厚さのシート状のものである。カバー体５は、蛇腹状部１５を有しているので、手操作により、図１及び図２に示すように、カップ状に伸張させることもでき、図３及び図４に示すように、円盤状に縮退させることも可能となっている。新たな手操作がない限り、いずれの状態も保持される。カバー体５は、伸張したときには、逆立ちしたカップ状となって、網袋１の少なくとも大半部が隠れるように網袋１を覆い、一方、縮退したときには、円盤状となって網袋１を笠のように覆う。図４の写真では、縮退したカバー体５は、中心部が周囲よりも幾分盛り上がる形状をなしているが、本考案における「円盤状」、あるいは一般に「盤状」とは、このような実質的に円盤状あるいは盤状の形態をも含む。カバー体５には、飲み物を容れる伸縮可能なカップとして市販されているものを、転用することが可能である。それにより、製造コストを抑えることができる。
【００２１】
装飾体７は、カバー体５の貫通孔１３を隠して、美観を高めることを目的の一つとするものである。図１〜図４の例では装飾体７は樹脂製の球体であり、図４に例示するように水玉模様を付したり、あるいは、水晶球あるいは宝石風の形態にしたりするなど、他の形態を採ることも可能である。カバー体５を挿通した紐体３が、装飾体７の中心を貫通する貫通孔１７をさらに挿通することにより、装飾体７はカバー体５の貫通孔１３の上に乗った状態で、紐体３に吊り下げられる。
【００２２】
石けん吊り具１０１を使用するには、出し入れ口１０を開いて網袋１の中に石けん９を入れ、石けん９を使用する場所、一例として浴室内において、その壁面などに留め具等（図示略）により紐体３の上端を留める。あるいは、紐体３の上端を留めた後に、網袋１の中に石けん９を入れることも可能である。浴室使用中など、石けん９に湯水が降り掛かるおそれがあるときには、カバー体５は図１及び図２に例示するように、逆立ちしたカップ状に伸張させ、石けん９の入った網袋１を覆うようにする。図１及び図２の例では、石けん９の入った網袋１は、下端付近がカバー体５から露出しているが、上方又は斜め上方から降り掛かる湯水を防ぐには十分である。すなわち、伸張したカバー体５は、網袋１の大半部が隠れるように網袋１を覆うようになっておれば足りる。
【００２３】
装飾体７は、単に美観を高めるためだけではなく、カバー体５の貫通孔１３の上に乗るので、降り掛かる湯水が貫通孔１３を通過して、網袋１及び石けん９を濡らすことを、少なくともある程度は抑えるという機能をも果たす。この効果は、考案者が石けん吊り具１０１を試作し、試用することにより確認している。装飾体７に形成された貫通孔１７が、その全体又は一部において、紐体３に密着することにより隙間が無くなるほどの小さい孔径を有している場合には、降り掛かる湯水が装飾体７の貫通孔１７を通過し、さらにカバー体５の貫通孔１３を通過することにより、網袋１及び石けん９を濡らすことをも、効果的に抑えることができる。
【００２４】
石けん９を使用するときには、図３及び図４に例示したように、カバー体５を円盤状に縮退させることにより、石けん９の入った網袋１を露出させ、網袋１を通して石けん９を揉むことにより、手に石けん９を付けることができる。その後は、カバー体５を再び伸張させることにより、湯水から網袋１及び石けん９を保護することができる。カバー体５は、手操作により、容易に伸張及び縮退させることが可能である。
【００２５】
石けん吊り具１０１が設置される浴室等の使用が終わったときには、カバー体５を再び円盤状に縮退させる。そうすることにより、石けん９の使用により濡れた網袋１及び石けん９の乾燥を早めることができる。また、カバー体５は縮退の状態にあるときにおいても、石けん９の入った網袋１を笠のように覆うので、石けん９及び網袋１を、塵や埃から保護する役割をも果たす。
【００２６】
カバー体５の蛇腹状部１５として、貫通孔１３を中心とする同心円状に凹部と凸部が反復された形態を例示したが、同心円状の代わりに、同心八角形状、同心六角形状を採るなど、伸縮性が得られる限り、一般に同心形状を採ることが可能である。このような一般の場合には、縮退したときのカバー体５の形状は、盤状となる。また、カバー体５は、樹脂製に限定されない。カバー体５は一般に、降り掛かる湯水を遮る程度の遮水性を有し、かつシート状体を含んでおり、このシート状体は蛇腹状部１５を有し、かつ適度な柔軟性及び弾性を有することにより、カバー体５をカップ状に伸張させることも、盤状に縮退させることも可能にし、しかも伸張状態及び縮退状態を保持するものであれば足りる。
【００２７】
網袋１の上端縁１１に紐体３が挿通された形態を例示したが、出し入れ口１０を有する網袋を、単に紐体３で吊り下げる形態を採ることも可能である。さらに、出し入れ口１０は、網袋１の上端だけでなく、例えば側面に形成することも可能である。
【００２８】
上記の通り、カバー体５として、市販の伸縮性のカップを転用することができる。本考案は、内側に液体を収容する容器の姿勢を逆転させることにより、外から降り掛かる液滴から、内側にある石けん９の入った網袋１を保護するという、上下・内外の二重の逆転的発想に基づいてなされたものである。しかも、網袋１及び石けん９の乾燥を早めることができるという、優れた効果を奏するものである。従って、いわゆる当業者が容易に為し得るものではない点付言する。
【符号の説明】
【００２９】
１  網袋；  ３  紐体；  ５  カバー体；  ７  装飾体；  ９  石けん；  １０  出し入れ口；  １１  上端縁；  １３  貫通孔；  １５  蛇腹状部；  １７  貫通孔；  １０１  石けん吊り具
【図１】
0003204908.tif 000003
【図２】
0003204908.tif 000004
【図３】
0003204908.tif 000005
【図４】
0003204908.tif 000006
【図５】
0003204908.tif 000007
【図６】
0003204908.tif 000008